(57)【要約】【課題】簡単な構成で切削液回収装置５から排出液や切粉が外に溢れないようにする。【解決手段】工作機械の本体１における排出口２ａに隣接して設けられた切削液回収装置５の収容タンク６の上面に配置した網状の切粉受け板７の周囲には、排出口２ａが臨む側面に切欠き部を有する側壁８ａ〜８ｄを立設する。排出口２ａを有する樋１２の先端部にコ字型の連結部材１８を固定し、その下水平片１８ａに排出口２ａの幅方向に長い装着孔１９を左右両側に隔てて設ける。一対の案内板１３の滑り板部１３ａの各上端のフック１５の長さを装着孔１９の長さＨ７より短く設定し、各案内板の傾斜状の滑り板部１３ａの側端に上向きのフェンス部１４を設け、両案内板１３、１３を左右に移動可能にすると、各フェンス部１４が排出口２ａからの排出液の流出方向と略平行な側壁８ｂ，８ｃの内面に当接し、排出液及び切粉が案内板１３の裏面に回り込まない。【選択図】  図１
2004351592.tif 000002
【特許請求の範囲】
【請求項１】
切削液と共に切粉を排出する排出口を備えた工作機械の本体に対して隣接して設けられ、且つ前記排出口からの排出液を回収するための工作機械の切削液回収装置であって、
前記排出口から回収した切削液を収容する収容タンクと、
前記収容タンクの上面であって前記排出口より下方に配置され、当該排出口から流出する排出液から切粉を分離する切粉受け板と、
前記切粉受け板から跳ね返った排出液が外部に飛散するのを防止するために、切粉受け板の周囲に設けられ、且つ前記排出口が臨む側面に切欠き部を有する側壁と、
前記排出口から流出する排出液を前記切粉受け板上に案内するための傾斜状の案内部材とを備え、
該案内部材の上部には、前記排出口より下部の工作機械の本体に対して着脱可能に連結する連結部を備え、前記案内部材の下端を前記切欠き部から遠い側の前記切粉受け板に当接させて傾斜状に支持する一方、
前記案内部材の両側端には、前記排出口からの排出液の流出方向と略平行な側壁の内面に当接し得る上向きのフェンス部を備えたことを特徴とする工作機械の切削液回収装置。
【請求項２】
前記案内部材を複数枚の案内板にて構成し、各案内板の連結部は、前記排出口より下部の工作機械の本体に対して前記排出口の幅方向に略沿って移動可能に装着され、案内板の側縁における前記フェンス部が前記排出口からの排出液の流出方向と略平行な側壁の内面に当接し得るように構成されていることを特徴とする請求項１に記載の工作機械の切削液回収装置。
【請求項３】
前記フェンス部は可撓性を有する部材であって、前記案内部材に固着されていることを特徴とする請求項１または２に記載の工作機械の切削液回収装置。
【請求項４】
工作機械の本体には、前記排出口が左右に適宜隔てて複数設けられており、前記各案内部材を、前記排出口の箇所ごとに対応させて配置し、左右に隣接する案内部材の傾斜面部の一部が互いに重複するように配置されていることを特徴とする請求項１乃至３のいずれかに記載の工作機械の切削液回収装置。
【発明の詳細な説明】
【０００１】
【発明の属する技術分野】
本発明は、切削液と共に切粉を排出する排出口を備えた工作機械の本体（ベース）に対して隣接して設けられ、且つ前記排出口からの排出液を回収するための工作機械の切削液回収装置の構成に関するものである。
【０００２】
【従来の技術】
従来より、特許文献１に示すように、切削液と共に切粉を排出する排出口を備えた工作機械のベースに対して引出し可能に設けられ、該排出口からの排出液を回収するための工作機械の切削液回収装置として、前記排出口から回収した切削液を収容する収容タンクと、該収容タンクの下部に取付けられ、該収容タンクの水平方向への移動を可能とする車輪と、収容タンクの上面に設けられ、前記排出口から流出する排出液から切粉を分離するための網状の切粉受け板と、該切粉受け板の周囲に設けられ、前記切削液回収装置を工作機械のベースから引き出す際に、排出口が通過可能な切欠き部を有する側壁と、該側壁に設けられ前記切欠き部を開閉自在に遮蔽するためのスライド式の遮蔽板とを備えたものが開示されている。
【０００３】
この従来の構成では、排出口の幅寸法が、切削液回収装置における工作機械のベースから引き出す方向と平行状に伸びる一対の側壁間の寸法よりかなり小さく形成されており、前記一対の側壁と直交する方向の側壁の略中央部に前記切欠き部が形成されている。従って、前記排出口から流出する排出液も、前記一対の側壁の間の略中央位置の切粉受け板上に落下し、その落下位置の周囲の切粉受け板上に切粉が溜まるようになっている。
【０００４】
【特許文献１】
特開平７−１２４８４１号公報
【０００５】
【発明が解決しようとする課題】
しかしながら、工作機械のベースの左右両側端部に一対の排出口が形成されたものに対して前記従来の構成の切削液回収装置を配置するときには、工作機械のベースから引き出す方向と平行状に伸びる一対の側壁に近い側に前記一対の排出口が臨むことになり、この一対の側壁とこれと直交する方向の側壁とのコーナ部に、前記各排出口から集中的に排出液が流出するから、切粉受け板上に溜まる切粉が前記コーナ部に堆積し、切粉の山の一部が前記側壁の内面にかかることとなり、前記切粉の山が高くなると、各排出口から流出する排出液が側壁の上端を超えて外部に溢れるという問題があった。
【０００６】
この問題を解決するため、前記各排出口から切粉受け板上に向けて傾斜状に配置した滑り台を設け、各排出口から流出する排出液を滑り台にて案内して前記コーナ部から離れた位置の切粉受け板上に排出液を導くようにすることも考えられた。
【０００７】
しかしながら、この滑り台を設けても、当該滑り台の側縁が前記一対の側壁に近くに配置されて隙間を有する場合には、切粉受け板上に溜まった切粉の山の一部が前記側壁の内面にかかったり、切粉が前記隙間から前記滑り台の裏面側に回り込んで堆積し、排出口から流出する排出液が側壁の上端を超えて外部に溢れるという問題が解消できないのであった。
【０００８】
本発明はこの従来の問題点を解決すべくなされたものであって、簡単な構成で前記排出口から流出する排出液が側壁の上端を超えて外部に溢れることを防止でき、且つ前記排出口からの排出液を回収するための工作機械の切削液回収装置を提供することを目的とするものである。
【０００９】
【課題を解決するための手段】
前記目的を達成するため、請求項１に記載の発明の工作機械の切削液回収装置は、切削液と共に切粉を排出する排出口を備えた工作機械の本体に対して隣接して設けられ、且つ前記排出口からの排出液を回収するための工作機械の切削液回収装置であって、前記排出口から回収した切削液を収容する収容タンクと、前記収容タンクの上面であって前記排出口より下方に配置され、当該排出口から流出する排出液から切粉を分離する切粉受け板と、前記切粉受け板から跳ね返った排出液が外部に飛散するのを防止するために、切粉受け板の周囲に設けられ、且つ前記排出口が臨む側面に切欠き部を有する側壁と、前記排出口から流出する排出液を前記切粉受け板上に案内するための傾斜状の案内部材とを備え、該案内部材の上部には、前記排出口より下部の工作機械の本体に対して着脱可能に連結する連結部を備え、前記案内部材の下端を前記切欠き部から遠い側の前記切粉受け板に当接させて傾斜状に支持する一方、前記案内部材の両側端には、前記排出口からの排出液の流出方向と略平行な側壁の内面に当接し得る上向きのフェンス部を備えたものである。
【００１０】
請求項２に記載の発明は、請求項１に記載の工作機械の切削液回収装置において、前記案内部材を複数枚の案内板にて構成し、各案内板の連結部は、前記排出口より下部の工作機械の本体に対して前記排出口の幅方向に略沿って移動可能に装着され、案内板の側縁における前記フェンス部が前記排出口からの排出液の流出方向と略平行な側壁の内面に当接し得るように構成されたものである。
【００１１】
請求項３に記載の発明は、請求項１または２に記載の工作機械の切削液回収装置において、前記フェンス部は可撓性を有する部材であって、前記案内部材に固着されているものである。
【００１２】
請求項４に記載の発明は、請求項１乃至３のいずれかに記載の工作機械の切削液回収装置において、工作機械の本体には、前記排出口が左右に適宜隔てて複数設けられており、前記各案内部材を、前記排出口の箇所ごとに対応させて配置し、左右に隣接する案内部材の傾斜面部の一部が互いに重複するように配置されているものである。
【００１３】
【発明の実施の形態】
次に、本願発明を具体化した好適な実施形態について説明する。図１は第１実施形態の斜視図、図２は図１のＩＩ−ＩＩ線矢視側断面図、図３は案内部材の斜視図、図４は案内板の装着部の要部一部切欠き側面図、図５は第１実施形態の変形例を示す斜視図、図６は第２実施形態の斜視図、図７は図６のＶＩＩ  −ＶＩＩ  線矢視側断面図、図８は第３実施形態の斜視図、図９は図８のＩＸ−ＩＸ線矢視図である。
【００１４】
図１に示すように工作機械の本体（ベース）１の左右両側には、ブロック３と左右両側の側板４、４との間に、切粉を含んだ切削液（排出液）を後向きに流出させる一対の排出路２、２が幅Ｈ１にて各々形成され、この各排出路２は本体（ベース）１の後面に開放された排出口２ａを有する。
【００１５】
一方、切削液回収装置５は、その本体ケースに回収した切削液を収容する収容タンク６と、この収容タンク６の上面であって前記排出口２ａより下方に配置され、当該排出口２ａから流出する排出液から切粉を分離するための網状または板材にパンチ孔が多数穿設されてなる切粉受け板７と、前記切粉受け板７から跳ね返った排出液が外部に飛散するのを防止するために、切粉受け板７の周囲に設けられ、且つ前記排出口２ａが臨む側面に切欠き部９を有する板状の側壁８ａ，８ｂ，８ｃ，８ｄと、前記収容タンク６に回収された切削液を工作機械に供給するためのポンプ１０を備え、切削液回収装置５全体の移動を容易にするために複数（実施形態では４つ）の車輪１１が前記収容タンク６の下部または側部に設けられている。
【００１６】
なお、前記切削液回収装置５における前記一対の排出路２からの排出液の流出方向と平行に伸びる一対の側壁８ｂ，８ｃ間の寸法Ｈ２は、前記本体１における左右両側の側板４、４の外面間の寸法Ｈ３より若干大きく形成され、排出口２ａと対向する側の側壁８ｄにおける切欠き部９の高さ位置は前記排出口２ａを有する樋１２の下端より若干低いように設定されている（図２及び図４参照）。
【００１７】
前記排出口２ａから流出する排出液を前記切粉受け板７上に案内するための第１実施形態の案内部材は図３に示すように左右一対の案内板１３、１３からなる。そして、左側の案内板１３における左側端には、上向きのフェンス部１４を設ける右側の案内板１３における右側端には、上向きのフェンス１４を設ける。実施形態では各案内板１３における平板（滑り板部１３ａ）の一側を上向きに９０度屈曲させてフェンス部１４が一体的に形成されているものである。
【００１８】
各案内板１３の横幅寸法Ｈ４は前記一対の側壁８ｂ，８ｃ間の寸法Ｈ２の半分の長さよりＨ５だけ大きく設定されている。また、各案内板１３における平板（滑り板部１３ａ）の上端の略中央部には、前向き鉤型の屈曲形成された連結部としてのフック１５が横幅寸法Ｈ６の長さで設けられている（図３参照）。さらに、各案内板１３の平板（滑り板部１３ａ）の中途部には、取り扱い及び運搬を容易にするためのコ字状の把手１６が螺子１７による連結等により突設されている。
【００１９】
他方、前記樋１２の先端面には、横断面コ字型の連結部材１８がその垂直面を当接させた状態でボルト止め等により固設されている。この連結部材１８における下水平片１８ａには、前記フック１５の長さより長いＨ７の装着孔１９が穿設されている（図１及び図４参照）。
【００２０】
上記の構成により、切削液回収装置５を工作機械の本体１の後面に接近させるように移動し、切削液回収装置５の前側の側壁８ｄにおける切欠き部９が前記樋１２の下方に位置するようにして停止固定させる。次いで、前記左右一対の案内板１３のうち、まず片方、例えば右側の案内板１３の上端のフック１５を対応する位置（右側）の装着孔１９に係合し、さらに右方向（排出口２ａの幅方向）に移動（スライド）させて、右端のフェンス部１４を右側の側壁８ｂの内面に当接させ、案内板１３の平板（滑り板部１３ａ）の下端を前記切粉受け板７上に当接させると、この案内板１３における滑り板部１３ａが前記排出口２ａから切粉受け板７に向けて下向きになる傾斜状に配設できる。次に、前記と同様にして、左側の案内板１３のフック１５を対応する位置（左側）の装着孔１９に係合し、さらに左方向に移動（スライド）させて、左端のフェンス部１４を左側の側壁８ｂの内面に当接させ、案内板１３の平板（滑り板部１３ａ）の下端を前記切粉受け板７上に当接させると、この案内板１３における滑り板部１３ａが前記排出口２ａから切粉受け板７に向けて下向きになる傾斜状に配設されたことになる（図４参照）。そして、前記左右の案内板１３、１３の傾斜面部としての滑り板部１３ａ端部どうしが幅寸法Ｈ５にわたって重なるのである（図１参照）。
【００２１】
工作機械を作動させ、図示しないワークの切削加工を実行すると、切粉を含む排出液が排出口２ａから図４の矢印Ａ方向に流れる。そのとき、左右一対の案内板１３、１３の滑り板部１３ａ上を切粉受け板７に向けて排出液が流れ落ち、切粉受け板７上に切粉を受けて切削液は収容タンク６に収容され、ポンプ１０を介して工作機械に供給される。
【００２２】
その場合、前記一対の排出口２ａは前記左右一対の案内板１３、１３のフェンス部１４、１４に近い位置にあるので、切粉受け板７上に堆積する切粉も前記フェンス部１４に近い位置の滑り板部１３ａの下部に溜まることになる。切粉の堆積した山が成長しても、前記フェンス部１４が側壁８ｂ（８ｃ）と当接しているので、排出液及び切粉が案内板１３の裏面側に回り込むのを防止できる。従って、この案内板１３の裏面に切粉が堆積することも防止でき、排出液や切粉が高さの低い切欠き部９（側壁８ｄ）から溢れて切削液回収装置５の外部に零れることがないのである。また、左右の案内板１３、１３の傾斜面部としての滑り板部１３ａ部も幅寸法Ｈ５の範囲で重複しているから、この重複部からも排出液や切粉が案内板１３の裏面に回り込むことを確実に防止できる。さらに、前記横断面コ字型の連結部材１８における上水平片１８ｂが前記フック１５の上方を覆っているので、排出口２ａから流出する排出液（切削液）及び切粉が前記フック１５の箇所でせき止められたり、堆積することがなく、これによっても排出液（切削液）及び切粉が側壁から溢れて切削液回収装置５の外部に零れることを確実に防止できる。
【００２３】
なお、堆積した切粉は、図２に示す傾斜状の掻出し用滑り台２０を利用して外に除去させることができる。
【００２４】
図５は、図１の実施形態の変形例であって、案内部材として３つの案内部材を排出液の排出方向と交差する方向に並列配置するものである。そして、左右両側端の案内板１３、１３は前記のものと同じく滑り板部１３ａの一側に上向きのフェンス部１４が側壁８ｂ（８ｃ）と当接するように設けられ、中央の案内部材１３′は上端に連結部としてのフック１５を有する滑り板部１３ａ′のみからなり、図５に示すように、滑り板部１３ａ′の両側端が両側の案内板１３、１３における滑り板部１３ａと幅寸法Ｈ５の範囲で重複させて配置するものである。なお、この中央の案内部材１３′を複数枚に分割するように構成しても良い。その他の構成は第１実施形態と同じであるので同じ符号を付して構成、作用の説明は省略する。なお、各案内部材の横幅寸法Ｈ４が第１実施形態のものより小さくなることは当然である。いずれにしても、これらの変形例でも第１実施形態と同じく、案内部材の着脱作業が至極容易であり、且つ案内部材の裏面に切粉が堆積することも防止でき、排出液や切粉が高さの低い切欠き部９（側壁８ｄ）から溢れて切削液回収装置５の外部に零れることも防止できるのである。
【００２５】
図６及び図７は、第２実施形態の案内部材としての案内板を示し、左右の案内板１３、１３の滑り板部１３ａ部の上端を下向きに屈曲させた連結片２１とし、この各連結片２１には横長（寸法Ｈ７）の連結部としての装着孔２２を穿設する。その場合、左側の案内板１３における連結片２１の装着孔２２のうち左端部を大径の挿入孔２２ａとする。同様に、右側の案内板１３における連結片２１の装着孔２２のうち右端部を大径の挿入孔２２ａとする。他方、前記樋１２の先端の縦面には、頭付きの連結ボルト２３を後向きに突設させる。その他の構成は第１実施形態と同じであるので、同じ部分には同じ符号を付して説明を省略する。
【００２６】
この第２実施形態では、例えば、まず片方、例えば右側の案内板１３の上端の連結片２１を対応する位置（右側）の樋１２の縦面に接近させて、連接ボルト２３の頭を前記挿入孔２２ａに嵌め入れた後、装着孔２２に沿って右方向にスライドさせると、右端のフェンス部１４が右側の側壁８ｂの内面に当接し、案内板１３の平板（滑り板部１３ａ）の下端を前記切粉受け板７上に当接させると、この案内板１３における滑り板部１３ａが前記排出口２ａから切粉受け板７に向けて下向きになる傾斜状に配設できる。次に、前記と同様にして、左側の案内板１３の上端の連結片２１を対応する位置（左側）の樋１２の縦面に接近させて、連接ボルト２３の頭を前記挿入孔２２ａに嵌め入れた後、装着孔２２に沿って左方向にスライドさせると、左端のフェンス部１４が左側の側壁８ｂの内面に当接する。案内板１３の平板（滑り板部１３ａ）の下端を前記切粉受け板７上に当接させると、この案内板１３における滑り板部１３ａが前記排出口２ａから切粉受け板７に向けて下向きになる傾斜状に配設でき、且つ左右の滑り板部１３ａ幅寸法Ｈ５にて重複するのである。なお各隣接片２１を樋１２の縦面に当接させておくことが好ましい。
【００２７】
この実施形態でも、第１実施形態と同様に、切粉を含む排出液が排出口２ａから図７の矢印Ａ方向に流れると、連結片２１の箇所で滞ることなく、左右一対の案内板１３、１３の滑り板部１３ａ上を切粉受け板７に向けて排出液が円滑に流れ落ち、切粉は切粉受け板７上に堆積する。左右にフェンス部１４が上向きに突出しているので、排出液及び切粉が案内板１３の裏面側に回り込むのを防止できる。従って、この案内板１３の裏面に切粉が堆積することも防止でき、高さの低い切欠き部９（側壁８ｄ）から排出液や切粉が溢れて切削液回収装置５の外部に零れることがないのである。また、左右の案内板１３、１３の傾斜面部としての滑り板部１３ａ部も幅寸法Ｈ５の範囲で重複しているから、この重複部からも排出液や切粉が案内板１３の裏面に回り込むことを確実に防止できる。
【００２８】
図８及び図９は、第３実施形態の案内部材としての案内板２４を示し、該案内板２４の滑り板部２４ａの上端を下向きに屈曲させて、下向きに脚部２５を一体的に設ける。そして、脚部２５を高さを切粉受け板７から樋１２の底面までの高さより若干低く設定する。なお、脚部２５の下端を横内向きに屈曲させて安定足部２５ａを設けても良い。また、滑り板部２４ａの横方向の長さ寸法Ｈ８は切削液回収装置５における左右側壁８ｂ，８ｃ間の寸法Ｈ２より若干短く設定する。前記滑り板部２４ａの左右側端部には、ゴム等の可撓性を有する板状の部材から成る上向きのフェンス２６をビス等を介して固定する。
【００２９】
この第３実施形態では、案内板２４は前記脚部２５の下端と滑り板部２４ａの下端とにより切粉受け板７に自立できるものである。工作機械の本体１の裏面側の樋部１２に切削液回収装置５を接近するように移動させ、次いで、滑り板部２４ａの中途部に設けた把手１６を持って、前記案内板２４をその脚部２５が樋１２の縦面に当接するように配置すると、滑り板部２４ａの左右両側のフェンス部２６、２６の自由端縁の裏面側がフェンス部２６自体の弾力にて左右両側の側壁８ｂ，８ｃの内面に隙間の生じないように当接できる（図８参照）。従って、この実施形態でも、第１実施形態と同様に、切粉を含む排出液が排出口２ａから図７の矢印Ａ方向に流れると、案内板２４の滑り板部２４ａ上を切粉受け板７に向けて排出液が円滑に流れ落ち、切粉は切粉受け板７上に堆積する。左右にフェンス部２５が上向きに湾曲して突出しているので、排出液及び切粉が案内板２４の裏面側に回り込むのを防止できる。従って、この案内板２４の裏面に切粉が堆積することも防止でき、高さの低い切欠き部９（側壁８ｄ）から排出液や切粉が溢れて切削液回収装置５の外部に零れることがないのである。
【００３０】
なお、脚部２５と樋１２の縦面との隙間を無くすように位置保持するために、図８に図示するように切粉受け板７上に１つまたは複数のストッパー片２７を突設し、このストッパー片２７に前記脚部２５の下端または水平状の安定足部２５ａを当接させて移動不能にすることもできる。
【００３１】
【発明の効果】
以上に詳述したように、請求項１に記載の発明の工作機械の切削液回収装置は、切削液と共に切粉を排出する排出口を備えた工作機械の本体に対して隣接して設けられ、且つ前記排出口からの排出液を回収するための工作機械の切削液回収装置であって、前記排出口から回収した切削液を収容する収容タンクと、前記収容タンクの上面であって前記排出口より下方に配置され、当該排出口から流出する排出液から切粉を分離する切粉受け板と、前記切粉受け板から跳ね返った排出液が外部に飛散するのを防止するために、切粉受け板の周囲に設けられ、且つ前記排出口が臨む側面に切欠き部を有する側壁と、前記排出口から流出する排出液を前記切粉受け板上に案内するための傾斜状の案内部材とを備え、該案内部材の上部には、前記排出口より下部の工作機械の本体に対して着脱可能に連結する連結部を備え、前記案内部材の下端を前記切欠き部から遠い側の前記切粉受け板に当接させて傾斜状に支持する一方、前記案内部材の両側端には、前記排出口からの排出液の流出方向と略平行な側壁の内面に当接し得る上向きのフェンス部を備えたものである。
【００３２】
従って、前記フェンス部を切粉受け板の左右両側から前記排出口からの排出液の流出方向と略平行に立設する側壁の内面に当接させておけば、切粉受け板や案内部材の下部等に堆積する切粉に向かって流れ落ちる排出液が案内部材の裏面側に回り込むのを確実に防止でき、排出液に含まれる切粉も案内部材の裏面側に堆積しないから、高さの低い側壁から排出液や切粉が溢れて切削液回収装置の外部に零れることがないという効果を奏する。
【００３３】
請求項２に記載の発明は、請求項１に記載の工作機械の切削液回収装置において、前記案内部材を複数枚の案内板にて構成し、各案内板の連結部は、前記排出口より下部の工作機械の本体に対して前記排出口の幅方向に略沿って移動可能に装着され、案内板の側縁における前記フェンス部が前記排出口からの排出液の流出方向と略平行な側壁の内面に当接し得るように構成されたものである。
【００３４】
このように構成することにより、請求項１に記載の発明による効果に加えて、２枚の案内板を前記排出口に接近させ、連結部を介して本体と連結した状態で排出口の幅方向に移動させるだけの簡単な操作で、前記フェンス部が前記排出口からの排出液の流出方向と略平行な側壁の内面に当接でき、案内板の側端と側壁内面との隙間を密接できるという効果を奏する。
【００３５】
請求項３に記載の発明は、請求項１または２に記載の工作機械の切削液回収装置において、前記フェンス部は可撓性を有する部材であって、前記案内部材に固着されているものであるから、請求項１または２に記載の発明による効果に加えて、案内板の移動量を厳格にしなくても、フェンス部自体の可撓性にて、当該フェンス部と側壁内面との密接を保持することができるという効果を奏する。
【００３６】
請求項４に記載の発明は、請求項１乃至３の何れかに記載の工作機械の切削液回収装置において、工作機械の本体には、前記排出口が左右に適宜隔てて複数設けられており、前記各案内部材を、前記排出口の箇所ごとに対応させて配置し、左右に隣接する案内部材の傾斜面部の一部が互いに重複するように配置されているものである。従って、請求項１乃至３のいずれかに記載の発明による効果に加えて、複数の排出口に対する複数の案内部材をその傾斜面部が互いに隙間のないように配置することが至極容易にできるという効果を奏する。
【図面の簡単な説明】
【図１】第１実施形態の斜視図である。
【図２】図１のＩＩ−ＩＩ線矢視側断面図である。
【図３】第１実施形態の案内板の斜視図である。
【図４】案内板の装着部の要部一部切欠き拡大側面図である。
【図５】第１実施形態の変形例を示す斜視図である。
【図６】第２実施形態の斜視図である。
【図７】図６のＶＩＩ  −ＶＩＩ  線矢視側断面図である。
【図８】第３実施形態の斜視図である。
【図９】図８のＩＸ−ＩＸ線矢視図である。
【符号の説明】
１      工作機械の本体
２      排出路
２ａ    排出口
５      切削液回収装置
６      収容タンク
８ａ〜８ｄ    側壁
９      切欠き部
１０      ポンプ
１１      車輪
１２      樋
１３、１３′、２４  案内部材としての案内板
１３ａ，１３ａ′，２４ａ    平板（滑り板部）
１４、２６    フェンス部
１５      フック
１８      連結部材
１８ａ      下水平片
１９、２２      装着孔
２３      連結ボルト
２５      脚部
２７      ストッパー片
【図１】
2004351592.tif 000003
【図２】
2004351592.tif 000004
【図３】
2004351592.tif 000005
【図４】
2004351592.tif 000006
【図５】
2004351592.tif 000007
【図６】
2004351592.tif 000008
【図７】
2004351592.tif 000009
【図８】
2004351592.tif 000010
【図９】
2004351592.tif 000011